(57)【要約】【課題】  本考案は、マンホールに備え付けられている点検用ステップを利用した、断熱材構造が簡単で、且つ取付け、取外しが容易な下水道マンホール断熱装置を得ることを目的とする。【解決手段】  本考案の下水道マンホール断熱装置１は、発泡スチロール、ウレタン等の断熱材から蓋部２及び側壁部５を一体形成された逆コ字状の有蓋円筒体からなる。前記蓋部２の直径は、マンホールの入口部の直径と略同一に形成され、直径方向の中心線を挟んで中央両側に断面円弧状の溝３を形成して中央に摘み部４を形成している。前記側壁部５の長さは、マンホール蓋の直下から点検用ステップまでの長さとし、マンホール蓋を開けた時に前記摘み部４をすぐに掴めるようにする。そして、前記側壁部５の下端は、マンホールの入口部に挿入し易いように、外周壁を切欠き、円環状のテーパー面６を形成する。【選択図】  図１
0003112257.tif 000002
【実用新案登録請求の範囲】
【請求項１】
発泡スチロール、ウレタン等の断熱材から蓋部及び側壁部を一体形成された逆コ字状の有蓋円筒体からなり、前記蓋部の直径はマンホールの入口部の直径と略同一に形成され、直径方向の中心線を挟んで中央両側に断面円弧状の溝を形成して中央に摘み部を形成し、前記側壁部の長さはマンホール蓋の直下から点検用ステップまでの長さとし、前記側壁部の下端外周壁を切欠き、マンホールに挿入し易いように円環状のテーパー面を形成したことを特徴とする下水道マンホール断熱装置。
【考案の詳細な説明】
【技術分野】
【０００１】
本考案は、下水道が埋設されている積雪道路において、マンホール蓋上に融雪窪みが発生することを防止する下水道マンホール断熱装置に関する。
【背景技術】
【０００２】
従来、下水道が埋設されている積雪道路においては、下水道管からの温かい空気がマンホール上部に伝わり、マンホール蓋が暖められて蓋上に積った雪がすぐに融けて周りとの間に段差ができ、窪みが発生する。
この窪みが積雪路面にできると、窪みに嵌まって抜け出せなかったり、横滑りしたりして自動車の走行に支障をきたし、交通の安全性に問題を生じることになる。
そのため、蓋体の上に降った雪が溶けにくいマンホールの断熱方法及びその装置が公知となっている（特許文献１を参照）。
この公知技術は、マンホール３の縮径部１４に環状体２３を取り付け、この環状体２３の支持具３８の嵌合穴３９に枠体４１の脚部４２をそれぞれ嵌合させた状態で、この枠体４１上に、断熱材である略円形板状の保温材５１が設置され、この保温材５１はマンホール３の蓋体２から下方に向けて離間した位置に取り付けられるものである。
しかし、前述の公知技術は、環状体２３を必要とすることから、保温材５１の取付け、取外しが面倒であり、かつ実用性の低いものであった。
【特許文献１】特開２００２−３０９６０５号公報
【考案の開示】
【考案が解決しようとする課題】
【０００３】
本考案は、マンホールに備え付けられている点検用ステップを利用した、断熱材構造が簡単で、且つ取付け、取外しが容易な下水道マンホール断熱装置を得ることを目的とする。
【課題を解決するための手段】
【０００４】
本考案の下水道マンホール断熱装置は、発泡スチロール、ウレタン等の断熱材から蓋部及び側壁部を一体形成された逆コ字状の有蓋円筒体からなり、前記蓋部の直径はマンホールの入口部の直径と略同一に形成され、直径方向の中心線を挟んで中央両側に断面円弧状の溝を形成して中央に摘み部を形成し、前記側壁部の長さはマンホール蓋の直下から点検用ステップまでの長さとし、前記側壁部の下端外周壁を切欠き、マンホールに挿入し易いように円環状のテーパー面を形成したものである。
【考案の効果】
【０００５】
本考案の下水道マンホール断熱装置は、下水道管からマンホール上部に伝わる温かい空気を遮断して、マンホール蓋上に融雪による窪みが発生しないため、積雪道路における交通の安全性が向上し、路面の段差解消効果が最大限に発揮される。
【考案を実施するための最良の形態】
【０００６】
本考案の下水道マンホール断熱装置の一実施例を図面に基づいて、以下に説明する。
図１は、本考案の下水道マンホール断熱装置１の（ａ）平面図、（ｂ）正面図、（ｃ）一部断面側面図である。
本考案の下水道マンホール断熱装置１は、発泡スチロール、ウレタン等の断熱材から蓋部２及び側壁部５を一体形成された逆コ字状の有蓋円筒体からなる。
前記蓋部２の直径は、マンホールの入口部の直径と略同一に形成され、図１の（ａ）平面図に示すように、直径方向の中心線を挟んで中央両側に図１の（ｂ）正面図に点線で示すように、断面円弧状の溝３を形成して中央に摘み部４を形成している。
【０００７】
前記側壁部５の長さは、マンホール蓋の直下から点検用ステップまでの長さとし、マンホール蓋を開けた時に前記摘み部４をすぐに掴めるようにする。
そして、前記側壁部５の下端は、マンホールの入口部に挿入し易いように、外周壁を切欠き、円環状のテーパー面６を形成する。
なお、側壁部５は、図１の（ｃ）一部断面側面図に示すように、所定厚さの円筒状であり、材質の強度に応じて適宜厚さを選択することが出来る。
【０００８】
次に、本考案の下水道マンホール断熱装置１の使用法について、以下に説明する。
一般的なマンホールＡの構造は、図２〜４に示すように、人が出入りできるように形成された入口部７に施されたマンホール蓋８及び受枠９と、該マンホール蓋８及び受枠９の下部に配置される高さ調節用の調整リング１０と、該調整リング１０に結合され一方側に広く拡大された円錐台状の斜壁１１と、該斜壁１１に結合された楕円筒状の直壁１２と、該直壁１２に結合され下水道管１６が接続される楕円筒状の底塊１３と、該底塊１３の底面を形成する底版１４とから構成されてなり、前記斜壁１１及び直壁１２の直線内壁には点検用ステップ１５が等間隔で上下方向に配列されている。
図５に示すように、マンホールＡのマンホール蓋８を取外し、マンホールＡに本考案の下水道マンホール断熱装置１を挿入する。
本考案の下水道マンホール断熱装置１は、図１に示すように軽量の発泡スチロール、ウレタン等の断熱材から形成され、蓋部２に摘み部４を形成しているので、前記摘み部４を掴んで側壁部５のテーパー面６を案内として入口部７に簡単に挿入することが出来る。
【０００９】
挿入された本考案の下水道マンホール断熱装置１は、図３、４に示すように前記側壁部５の下端が点検用ステップ１５に載置され、ほぼマンホールＡの入口部７を塞ぐようになる。
このようにして、マンホールＡに挿入された本考案の下水道マンホール断熱装置１は、点検用ステップ１５側は下端を支持されているが、図３に示すように他方の点検用ステップがない側は浮いた状態になっている。
しかし、前記側壁部５の長さが長いため、前記点検用ステップ１５側を支点にして本考案の下水道マンホール断熱装置１が下方へ回転して落下するようなことはない。
このため、本考案の下水道マンホール断熱装置１により、図５に示すように冬期に下水道管１６からの暖かい空気が遮られてマンホール蓋８が温められることがなく、したがって融雪窪みが形成されることもない。
【図面の簡単な説明】
【００１０】
【図１】本考案の下水道マンホール断熱装置の説明図である。
【図２】本考案のマンホールの説明図である。
【図３】本考案の下水道マンホール断熱装置の使用状態を示すマンホール長径方向の断面図である。
【図４】本考案の下水道マンホール断熱装置の使用状態を示すマンホール短径方向の断面図である。
【図５】本考案の下水道マンホール断熱装置の使用状態を示す説明図である。
【符号の説明】
【００１１】
１  下水道マンホール断熱装置
２  蓋部
３  溝
４  摘み部
５  側壁部
６  テーパー部
７  入口部
８  マンホール蓋
９  受枠
１０  調整リング
１１  斜壁
１２  直壁
１３  底塊
１４  底版
１５  点検用ステップ
１６  下水道管
【図１】
0003112257.tif 000003
【図２】
0003112257.tif 000004
【図３】
0003112257.tif 000005
【図４】
0003112257.tif 000006
【図５】
0003112257.tif 000007